(57)【要約】【課題】チャネル状態情報基準信号に関する複数のリソース情報および測定に関する情報を効率的に基地局装置から移動局装置に通知し、測定結果を効率的に移動局装置から基地局装置に通知することができる通信システム、基地局装置、移動局装置、通知方法、報告方法および集積回路を提供する。【解決手段】基地局装置は、セル毎に設定されるチャネル状態情報測定を行うために使用されるチャネル状態情報基準信号の設定に対して、チャネル状態情報基準信号の設定を識別する第１の識別子を含めて前記移動局装置に通知し、チャネル状態情報基準信号の基準信号受信電力および／あるいは基準信号受信品質を測定する対象として、セルを指定する報告設定を前記移動局装置に対して通知し、前記移動局装置は、前記指定されたセルを対象とする前記チャネル状態情報基準信号の基準信号受信電力および／あるいは基準信号受信品質を測定し、前記測定した結果を前記基地局装置へ報告する。【選択図】図５
2013197782.tif 000002
【特許請求の範囲】
【請求項１】
移動局装置が１以上の周波数帯域のセルを同時に用いて基地局装置と接続して通信を行なう通信システムであって、
前記基地局装置は、チャネル状態情報測定を行うために使用される前記セル毎のチャネル状態情報基準信号の設定に対して、前記チャネル状態情報基準信号の設定を識別する第１の識別子を含めて前記移動局装置に通知し、
前記チャネル状態情報基準信号の基準信号受信電力および／あるいは基準信号受信品質を測定する対象として、セルを指定する報告設定を前記移動局装置に対して通知し、
前記移動局装置は、前記指定されたセルを対象とする前記チャネル状態情報基準信号の基準信号受信電力および／あるいは基準信号受信品質を測定し、前記測定した結果を前記基地局装置へ報告することを特徴とする通信システム。
【請求項２】
前記セルは第２の識別子によって識別可能であり、
前記報告設定は、第３の識別子によって識別可能であり、
前記報告設定が設定される場合、一つのセルに対しては一つの設定のみが設定され、
前記移動局装置は、前記第３の識別子として前記第２の識別子を使用して前記測定した結果を前記基地局装置へ報告し、
前記基地局装置は、前記移動局装置から報告される前記第２の識別子を、前記報告設定を識別する情報として使用することを特徴とする請求項１に記載の通信システム。
【請求項３】
前記基地局装置は、前記チャネル状態情報測定を行うために使用される第１のチャネル状態情報基準信号の設定と、それ以外の測定で使用される第２のチャネル状態情報基準信号の設定とを通知し、
前記移動局装置は、基準信号受信電力および／あるいは基準信号受信品質の測定を行うセルにおいて、前記セルに設定された前記第１および第２のチャネル状態情報基準信号すべての基準信号受信電力および／あるいは基準信号受信品質の測定を行うことを特徴とする請求項１に記載の通信システム。
【請求項４】
前記基地局装置へ報告する前記基準信号受信電力および／あるいは基準信号受信品質の測定結果には、第１の識別子が含まれることを特徴とする請求項１に記載の通信システム。
【請求項５】
移動局装置と１以上の周波数帯域のセルを同時に用いて通信を行なう基地局装置であって、
前記セル毎に設定されるチャネル状態情報測定を行うために使用されるチャネル状態情報基準信号の設定に対して、前記チャネル状態情報基準信号の設定を識別する第１の識別子を含めて前記移動局装置に対して通知し、
前記チャネル状態情報基準信号の基準信号受信電力および／あるいは基準信号受信品質を測定する対象として、セルを指定する報告設定を前記移動局装置に対して通知することを特徴とする基地局装置。
【請求項６】
前記各セルは第２の識別子によって識別可能であり、
前記報告設定は、第３の識別子によって識別可能であり、
前記基地局装置は、前記報告設定を設定する場合、一つのセルに対しては一つの設定のみを設定し、
前記移動局装置から報告される前記第２の識別子を、前記報告設定を識別する情報とすることを特徴とする請求項５に記載の基地局装置。
【請求項７】
前記基地局装置は、前記チャネル状態情報測定を行うために使用される第１のチャネル状態情報基準信号の設定に加え、基準信号受信電力および／あるいは基準信号受信品質の測定に使用され、かつ前記チャネル状態情報基準信号の設定に含まれない第２のチャネル状態情報基準信号の設定を異なる情報要素として移動局装置に通知することを特徴とする請求項５に記載の基地局装置。
【請求項８】
１以上の周波数帯域のセルを同時に用いて基地局装置と接続して通信を行なう移動局装置であって、
前記セル毎に設定されるチャネル状態情報測定を行うために使用されるチャネル状態情報基準信号の設定に対して、前記チャネル状態情報基準信号の設定を識別する第１の識別子を含めて前記基地局装置から受信し、
前記チャネル状態情報基準信号の基準信号受信電力および／あるいは基準信号受信品質を測定する対象として、セルを指定する報告設定を前記基地局装置から受信し、
前記指定されたセルを対象とする前記チャネル状態情報基準信号の基準信号受信電力および／あるいは基準信号受信品質を測定し、前記測定した結果を前記基地局装置へ報告することを特徴とする移動局装置。
【請求項９】
前記セルは第２の識別子によって識別可能であり、
前記報告設定は、第３の識別子によって識別可能であり、
前記報告設定が設定される場合、一つのセルに対しては一つの設定のみが設定され、
前記移動局装置は、前記第３の識別子として前記第２の識別子を使用して前記測定した結果を前記基地局装置へ報告することを特徴とする請求項８に記載の移動局装置。
【請求項１０】
前記移動局装置は、チャネル状態情報測定を行うために使用される第１のチャネル状態情報基準信号の設定に加え、基準信号受信電力および／あるいは基準信号受信品質の測定に使用され、かつ前記チャネル状態情報基準信号の設定に含まれない第２のチャネル状態情報基準信号の設定を異なる情報要素として基地局装置から受信し、基準信号受信電力および／あるいは基準信号受信品質の測定を行うセルにおいて、前記セルに設定された前記第１および第２のチャネル状態情報基準信号すべての基準信号受信電力および／あるいは基準信号受信品質の測定を行うことを特徴とする請求項８に記載の移動局装置。
【請求項１１】
移動局装置と１以上の周波数帯域のセルを同時に用いて通信を行なう基地局装置の通知方法であって、
前記セル毎に設定されるチャネル状態情報測定を行うために使用されるチャネル状態情報基準信号の設定を前記移動局装置に対して通知するステップと、
前記チャネル状態情報基準信号の基準信号受信電力および／あるいは基準信号受信品質を測定する対象として、セルを指定する報告設定を移動局装置に対して通知するステップとを含むことを特徴とする通知方法。
【請求項１２】
１以上の周波数帯域のセルを同時に用いて基地局装置と接続して通信を行なう移動局装置の報告方法であって、
前記セル毎に設定されるチャネル状態情報測定を行うために使用されるチャネル状態情報基準信号の設定を前記基地局装置から受信するステップと、
前記チャネル状態情報基準信号の基準信号受信電力および／あるいは基準信号受信品質を測定する対象として、セルを指定する報告設定を前記基地局装置から受信するステップと、
前記指定されたセルを対象とする前記チャネル状態情報基準信号の基準信号受信電力および／あるいは基準信号受信品質を測定し、前記測定した結果を前記基地局装置へ報告するステップとを含むことを特徴とする報告方法。
【請求項１３】
移動局装置と１以上の周波数帯域のセルを同時に用いて通信を行なう基地局装置に搭載される集積回路であって、
前記セル毎に設定されるチャネル状態情報測定を行うために使用されるチャネル状態情報基準信号の設定を前記移動局装置に対して通知する機能と、
前記チャネル状態情報基準信号の基準信号受信電力および／あるいは基準信号受信品質を測定する対象として、セルを指定する報告設定を移動局装置に対して通知する機能とを含むことを特徴とする集積回路。
【請求項１４】
１以上の周波数帯域のセルを同時に用いて基地局装置と接続して通信を行なう移動局装置に搭載される集積回路であって、
前記セル毎に設定されるチャネル状態情報測定を行うために使用されるチャネル状態情報基準信号の設定を前記基地局装置から受信する機能と、
前記チャネル状態情報基準信号の基準信号受信電力および／あるいは基準信号受信品質を測定する対象として、セルを指定する報告設定を前記基地局装置から受信する機能と、
前記指定されたセルを対象とする前記チャネル状態情報基準信号の基準信号受信電力および／あるいは基準信号受信品質を測定し、前記測定した結果を前記基地局装置へ報告する機能とを含むことを特徴とする集積回路。
【発明の詳細な説明】
【技術分野】
【０００１】
本発明は、通信システム、基地局装置、移動局装置、通知方法、報告方法および集積回路に関し、特に移動局装置が基地局装置から通知される1以上の設定に基づき受信信号の測定を行う通信システムに関する。
【背景技術】
【０００２】
セルラー移動通信の無線アクセス方式および無線ネットワークの進化（以下、「Long Term Evolution （ＬＴＥ）」、または、「Evolved Universal Terrestrial Radio Access （ＥＵＴＲＡ）」と称する。）が、第三世代パートナーシッププロジェクト（3rd Generation Partnership Project；３ＧＰＰ）において検討されており、さらにＬＴＥを発展させて新たな技術を適用するＬＴＥ−Ａ（LTE-Advanced、または、「Ａｄｖａｎｃｅｄ  ＥＵＴＲＡ）」とも称する。）も検討されている。
【０００３】
Ａｄｖａｎｃｅｄ  ＥＵＴＲＡでは、移動局装置に対する干渉を軽減または抑圧するために、または受信信号電力を増大させるために、隣接セル間で互いに協調して通信を行なうセル間協調（Cooperative Multipoint; CoMP）通信が検討されている。例えば、セル間協調通信として、複数のセルで異なる重み付け信号処理（プリコーディング処理）が信号に適用され、複数の基地局装置がその信号を協調して同一の移動局装置に送信する方法（Joint Processing; JP、Joint Transmission; JTとも称す）や、複数のセルで協調して移動局装置に対するスケジューリングを行う方法（Coordinated Scheduling; CS）や、複数のセルで協調してビームフォーミングを適用して移動局装置に信号を送信する方法（Coordinated beamforming; CB）や、一方のセルでのみ所定のリソースを用いて信号を送信し、一方のセルでは前記リソースと重複するリソースでは信号を送信しない方法（Blanking, Muting）などが検討されている。
【０００４】
なお、セル間協調通信に用いられる複数のセルに関して、各セルは異なる基地局装置によって管理されるセルであってもよいし、同じ基地局装置によって管理されるセルであってもよい。また、各セルは基地局本体の制御部で制御される無線部（Remote Radio Head; RRH、Remote Radio Unit; RRUとも称す）で構成されてもよい。前記無線部は前記基地局本体と光ファイバのような有線で接続されてもよいし、リレー局装置のように無線によって接続されてもよい。
【先行技術文献】
【非特許文献】
【０００５】
【非特許文献１】Ｒ２−１１５３５３，ＣｏＭＰ  ａｒｃｈｉｔｃｈｔｕｒｅ  ａｎｄ  ＣｏＭＰ  ＲＲＭ  ｍｅａｓｕｒｅｍｅｎｔ (http://www.3gpp.org/ftp/tsg_ran/WG2_RL2/TSGR2_75bis/Docs/ R2-115353.zip）
【発明の概要】
【発明が解決しようとする課題】
【０００６】
３ＧＰＰでは、Ａｄｖａｎｃｅｄ  ＥＵＴＲＡの議論において、セル間協調通信を行うセルを最適化するために、チャネル状態情報基準信号（Channel State Information Reference Symbol; CSI-RS）を用いた測定を行うことが検討されている（非特許文献１）。現状ではＣＳＩ基準信号は、ＭＩＭＯ伝送時の品質測定のために１種類のＣＳＩ基準信号のリソース情報が移動局装置に対して通知されるよう定義されている。
【０００７】
非特許文献１では、このＣＳＩ基準信号のリソース情報を移動局装置に複数種類通知するようにし、移動局装置で前記複数種類のリソースの基準信号受信電力（Reference Signal Received Power; RSRP）あるいは基準信号受信品質（Reference Signal Received Quality; RSRQ）をそれぞれ測定し、測定結果を基地局装置へ通知することにより、セル間協調通信を行うセルを選択できるようにすることが提案されている。
【０００８】
しかしながら、現状の仕様では、移動局装置に対してチャネル状態情報基準信号に関する複数のリソース情報を通知することはできない。また、現状の仕様では、隣接セルのセル固有基準信号準信号を検出して、基準信号受信電力や受信品質の測定および報告を行う仕組みは規定されているが、チャネル状態情報基準信号を用いたセル間協調通信のための測定は規定されていない。
【０００９】
本発明は上記の点に鑑みてなされたものであり、その目的は、チャネル状態情報基準信号に関する複数のリソース情報および測定に関する情報を効率的に基地局装置から移動局装置に通知し、測定結果を効率的に移動局装置から基地局装置に通知することができる通信システム、基地局装置、移動局装置、通知方法、報告方法および集積回路を提供することである。
【課題を解決するための手段】
【００１０】
（１）上記の目的を達成するために、本発明は、以下のような手段を講じた。すなわち、本願の通信システムは、移動局装置が１以上の周波数帯域のセルを同時に用いて基地局装置と接続して通信を行なう通信システムであって、前記基地局装置は、チャネル状態情報測定を行うために使用される前記セル毎のチャネル状態情報基準信号の設定に対して、前記チャネル状態情報基準信号の設定を識別する第１の識別子を含めて前記移動局装置に通知し、前記チャネル状態情報基準信号の基準信号受信電力および／あるいは基準信号受信品質を測定する対象として、セルを指定する報告設定を前記移動局装置に対して通知し、前記移動局装置は、前記指定されたセルを対象とする前記チャネル状態情報基準信号の基準信号受信電力および／あるいは基準信号受信品質を測定し、前記測定した結果を前記基地局装置へ報告することを特徴とする。
【００１１】
（２）また、本願の通信システムにおいて、前記セルは第２の識別子によって識別可能であり、前記報告設定は、第３の識別子によって識別可能であり、前記報告設定が設定される場合、一つのセルに対しては一つの設定のみが設定され、前記移動局装置は、前記第３の識別子として前記第２の識別子を使用して前記測定した結果を前記基地局装置へ報告し、前記基地局装置は、前記移動局装置から報告される前記第２の識別子を、前記報告設定を識別する情報として使用することを特徴とする。
【００１２】
（３）また、本願の通信システムにおいて、前記基地局装置は、前記チャネル状態情報測定を行うために使用される第１のチャネル状態情報基準信号の設定と、それ以外の測定で使用される第２のチャネル状態情報基準信号の設定とを通知し、前記移動局装置は、基準信号受信電力および／あるいは基準信号受信品質の測定を行うセルにおいて、前記セルに設定された前記第１および第２のチャネル状態情報基準信号すべての基準信号受信電力および／あるいは基準信号受信品質の測定を行うことを特徴とする。
【００１３】
（４）また、本願の通信システムにおいて、基地局装置へ報告する前記基準信号受信電力および／あるいは基準信号受信品質の測定結果には、第１の識別子が含まれることを特徴とする。
【００１４】
（５）また、本願の基地局装置は、移動局装置と１以上の周波数帯域のセルを同時に用いて通信を行なう基地局装置であって、前記セル毎に設定されるチャネル状態情報測定を行うために使用されるチャネル状態情報基準信号の設定に対して、前記チャネル状態情報基準信号の設定を識別する第１の識別子を含めて前記移動局装置に対して通知し、前記チャネル状態情報基準信号の基準信号受信電力および／あるいは基準信号受信品質を測定する対象として、セルを指定する報告設定を前記移動局装置に対して通知することを特徴とする。
【００１５】
（６）また、本願の基地局装置において、前記各セルは第２の識別子によって識別可能であり、前記報告設定は、第３の識別子によって識別可能であり、前記基地局装置は、前記報告設定を設定する場合、一つのセルに対しては一つの設定のみを設定し、前記移動局装置から報告される前記第２の識別子を、前記報告設定を識別する情報とすることを特徴とする。
【００１６】
（７）また、本願の基地局装置において、前記基地局装置は、前記チャネル状態情報測定を行うために使用される第１のチャネル状態情報基準信号の設定に加え、基準信号受信電力および／あるいは基準信号受信品質の測定に使用され、かつ前記チャネル状態情報基準信号の設定に含まれない第２のチャネル状態情報基準信号の設定を異なる情報要素として移動局装置に通知することを特徴とする。
【００１７】
（８）また、本願の移動局装置は、１以上の周波数帯域のセルを同時に用いて基地局装置と接続して通信を行なう移動局装置であって、前記セル毎に設定されるチャネル状態情報測定を行うために使用されるチャネル状態情報基準信号の設定に対して、前記チャネル状態情報基準信号の設定を識別する第１の識別子を含めて前記基地局装置から受信し、前記チャネル状態情報基準信号の基準信号受信電力および／あるいは基準信号受信品質を測定する対象として、セルを指定する報告設定を前記基地局装置から受信し、前記指定されたセルを対象とする前記チャネル状態情報基準信号の基準信号受信電力および／あるいは基準信号受信品質を測定し、前記測定した結果を前記基地局装置へ報告することを特徴とする。
【００１８】
（９）また、本願の移動局装置において、前記セルは第２の識別子によって識別可能であり、
前記報告設定は、第３の識別子によって識別可能であり、前記報告設定が設定される場合、一つのセルに対しては一つの設定のみが設定され、前記移動局装置は、前記第３の識別子として前記第２の識別子を使用して前記測定した結果を前記基地局装置へ報告することを特徴とする。
【００１９】
（１０）また、本願の移動局装置において、前記移動局装置は、チャネル状態情報測定を行うために使用される第１のチャネル状態情報基準信号の設定に加え、基準信号受信電力および／あるいは基準信号受信品質の測定に使用され、かつ前記チャネル状態情報基準信号の設定に含まれない第２のチャネル状態情報基準信号の設定を異なる情報要素として基地局装置から受信し、基準信号受信電力および／あるいは基準信号受信品質の測定を行うセルにおいて、前記セルに設定された前記第１および第２のチャネル状態情報基準信号すべての基準信号受信電力および／あるいは基準信号受信品質の測定を行うことを特徴とする。
【００２０】
（１１）また、本願の通知方法は、移動局装置と１以上の周波数帯域のセルを同時に用いて通信を行なう基地局装置の通知方法であって、前記セル毎に設定されるチャネル状態情報測定を行うために使用されるチャネル状態情報基準信号の設定を前記移動局装置に対して通知するステップと、前記チャネル状態情報基準信号の基準信号受信電力および／あるいは基準信号受信品質を測定する対象として、セルを指定する報告設定を移動局装置に対して通知するステップとを含むことを特徴とする。
【００２１】
（１２）また、本願の報告方法は、１以上の周波数帯域のセルを同時に用いて基地局装置と接続して通信を行なう移動局装置の報告方法であって、前記セル毎に設定されるチャネル状態情報測定を行うために使用されるチャネル状態情報基準信号の設定を前記基地局装置から受信するステップと、前記チャネル状態情報基準信号の基準信号受信電力および／あるいは基準信号受信品質を測定する対象として、セルを指定する報告設定を前記基地局装置から受信するステップと、前記指定されたセルを対象とする前記チャネル状態情報基準信号の基準信号受信電力および／あるいは基準信号受信品質を測定し、前記測定した結果を前記基地局装置へ報告するステップとを含むことを特徴とする。
【００２２】
（１３）また、本願の集積回路は、移動局装置と１以上の周波数帯域のセルを同時に用いて通信を行なう基地局装置に搭載される集積回路であって、前記セル毎に設定されるチャネル状態情報測定を行うために使用されるチャネル状態情報基準信号の設定を前記移動局装置に対して通知する機能と、前記チャネル状態情報基準信号の基準信号受信電力および／あるいは基準信号受信品質を測定する対象として、セルを指定する報告設定を移動局装置に対して通知する機能とを含むことを特徴とする。
【００２３】
（１４）また、本願の集積回路は、１以上の周波数帯域のセルを同時に用いて基地局装置と接続して通信を行なう移動局装置に搭載される集積回路であって、前記セル毎に設定されるチャネル状態情報測定を行うために使用されるチャネル状態情報基準信号の設定を前記基地局装置から受信する機能と、前記チャネル状態情報基準信号の基準信号受信電力および／あるいは基準信号受信品質を測定する対象として、セルを指定する報告設定を前記基地局装置から受信する機能と、前記指定されたセルを対象とする前記チャネル状態情報基準信号の基準信号受信電力および／あるいは基準信号受信品質を測定し、前記測定した結果を前記基地局装置へ報告する機能とを含むことを特徴とする。
【発明の効果】
【００２４】
本発明によれば、チャネル状態情報基準信号に関する複数のリソース情報および測定に関する情報を効率的に基地局装置から移動局装置に通知し、測定結果を効率的に移動局装置から基地局装置に通知することが可能となる。
【図面の簡単な説明】
【００２５】
【図１】本発明の実施形態に係る基地局装置の一例を示すブロック図である。
【図２】本発明の実施形態に係る移動局装置の一例を示すブロック図である。
【図３】本発明の実施形態に係る基地局装置および移動局装置のユーザ平面構造を示す図である。
【図４】本発明の実施形態に係る基地局装置および移動局装置の制御平面構造を示す図である。
【図５】本発明の第１の実施形態における測定設定手順の例を示したフローチャートである。
【図６】本発明の実施形態に係る測定設定の例を示した図である。
【図７】本発明の実施形態に係る測定設定の別の例を示した図である。
【図８】本発明の第２の実施形態における測定設定手順の例を示したフローチャートである。
【図９】本発明の実施形態に係る通信ネットワーク構成の一例を示す図である。
【図１０】本発明の実施形態に係る下りリンクコンポーネントキャリアと、上りリンクコンポーネントキャリアの対応関係の一例を示した図である。
【図１１】従来のＲＲＭ測定設定管理手順の一例を示したシーケンスチャートである。
【発明を実施するための形態】
【００２６】
本発明の各実施形態を説明する前に、本発明の各実施形態に関わる技術について以下に簡単に説明する。
【００２７】
[物理チャネル]
ＥＵＴＲＡおよびＡｄｖａｎｃｅｄ  ＥＵＴＲＡで使用される主な物理チャネル（または物理シグナル）について説明を行なう。チャネルとは信号の送信に用いられる媒体を意味し、物理チャネルとは信号の送信に用いられる物理的な媒体を意味する。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００２８】
ＥＵＴＲＡおよびＡｄｖａｎｃｅｄ  ＥＵＴＲＡでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００２９】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。移動局装置は、セルサーチによって受信した同期シグナルのセルＩＤを特定する。
【００３０】
物理報知情報チャネル（Physical Broadcast Channel; PBCH）は、セル内の移動局装置で共通に用いられる制御パラメータ（報知情報やシステム情報）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（Cell Global Identifier; CGI）、ページングによる待ち受けエリアを管理するトラッキングエリア識別子（Tracking Area Identifier; TAI）、ランダムアクセス設定情報（送信タイミングタイマーなど）、共通無線リソース設定情報などが通知される。
【００３１】
下りリンク基準信号は、その用途によって複数のタイプに分類される。例えば、セル固有基準信号（Cell-specific reference signals; CRS）は、セル毎に所定の電力で送信されるパイロット信号であり、所定の規則に基づいて周波数領域および時間領域で周期的に繰り返される下りリンク基準信号である。移動局装置は、セル固有基準信号を受信することでセル毎の受信品質を測定する。また、移動局装置は、セル固有基準信号と同時に送信される物理下りリンク制御チャネル、または物理下りリンク共用チャネルの復調のための参照信号としても下りセル固有基準信号を使用する。セル固有基準信号に使用される系列は、セル毎に識別可能な系列が用いられる。
【００３２】
また、下りリンク基準信号は下りリンクの伝搬路変動の推定にも用いられる。伝搬路変動の推定に用いられる下りリンク基準信号のことをチャネル状態情報基準信号（Channel State Information Reference Signals; CSI-RS）と称する。また、移動局装置毎に個別に設定される下りリンク基準信号は、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルの復調に用いられる。
【００３３】
物理下りリンク制御チャネル（Physical Downlink Control Channel; PDCCH）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＤＦＭシンボルで送信される以外に、基地局装置から移動局装置に対して個別（ｄｅｄｉｃａｔｅｄ）に割り当てられるリソースブロックの領域で送信されるように構成することも可能である。
【００３４】
物理上りリンク制御チャネル（Physical Uplink Control Channel; PUCCH）は、物理下りリンク共用チャネルで送信されたデータの受信確認応答（Acknowledgement/Negative Acknowledgement; ACK/NACK）や下りリンクの伝搬路情報（チャネル状態情報）の通知、上りリンクの無線リソース割り当て要求（無線リソース要求）であるスケジューリングリクエスト（Scheduling Request; SR）を行なうために使用される。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００３５】
物理下りリンク共用チャネル（Physical Downlink Shared Channel; PDSCH）は、下りリンクデータのほか、ページングや物理報知情報チャネルで通知されない報知情報（システムインフォメーション）をレイヤ３メッセージとして移動局装置に通知するためにも使用される。物理下りリンク共用チャネルの無線リソース割り当て情報は、物理下りリンク制御チャネルで示される。
【００３６】
物理上りリンク共用チャネル（Physical Uplink Shared Channel; PUSCH）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクと同様に物理上りリンク共用チャネルの無線リソース割り当て情報は、物理下りリンク制御チャネルで示される。
【００３７】
上りリンク基準信号（Uplink Reference Signal）（上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調基準信号（Demodulation Reference Signal; DMRS）と、基地局装置が、主に、上りリンクのチャネル状態を推定するために使用するサウンディング基準信号（Sounding Reference Signal; SRS）が含まれる。また、サウンディング基準信号には、周期的サウンディング基準信号（Ｐｅｒｉｏｄｉｃ  ＳＲＳ）と非周期的サウンディング基準信号（Ａｐｅｒｉｏｄｉｃ  ＳＲＳ）とがある。
【００３８】
物理ランダムアクセスチャネル（Physical Random Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Timing Advance; TA）とも呼ばれる）を基地局装置に要求するために物理ランダムアクセスチャネルを用いる。
【００３９】
具体的には、移動局装置は、基地局装置より設定された物理ランダムアクセスチャネル用の無線リソースを用いてプリアンブル系列を送信する。送信タイミング調整情報を受信した移動局装置は、報知情報によって共通的に設定される（またはレイヤ３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤ３メッセージは、移動局装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義の意味で使用される。なお、それ以外の物理チャネルは、本発明の各実施形態に関わらないため詳細な説明は省略する。
【００４０】
[キャリア・アグリゲーション]
キャリア・アグリゲーションとは、複数の異なる周波数バンド（周波数帯）の周波数（コンポーネントキャリア、または周波数帯域）を集約（アグリゲート、ａｇｇｒｅｇａｔｅ）して一つの周波数（周波数帯域）のように扱う技術である。例えば、キャリア・アグリゲーションによって周波数帯域幅が２０ＭＨｚのコンポーネントキャリアを５つ集約した場合、キャリア・アグリゲーション可能な能力を持つ移動局装置はこれらを一つの１００ＭＨｚの周波数帯域幅とみなしてアクセスする。なお、集約するコンポーネントキャリアは連続した周波数であっても、全てまたは一部が不連続となる周波数であってもよい。例えば、使用可能な周波数バンドが８００ＭＨｚ帯、２．４ＧＨｚ帯、３．４ＧＨｚ帯である場合、あるコンポーネントキャリアが８００ＭＨｚ帯、別のコンポーネントキャリアが２ＧＨｚ帯、さらに別のコンポーネントキャリアが３．４ＧＨｚ帯で送信されていてもよい。
【００４１】
また、同一周波数帯、例えば２．４ＧＨｚ帯内の連続または不連続の複数のコンポーネントキャリアを集約することも可能である。各コンポーネントキャリアの周波数帯域幅は２０ＭＨｚより狭い周波数帯域幅であっても良く、各々周波数帯域幅が異なっていても良い。周波数帯域幅は、後方互換性を考慮して従来のセルの周波数帯域幅のいずれかと等しいことが望ましい。基地局装置は、滞留しているデータバッファ量や移動局装置から報告されるセルの受信品質、セル内の負荷やＱｏＳなどの種々の要因に基づいて、移動局装置に割り当てる上りリンクまたは下りリンクのコンポーネントキャリアの数を増減することができる。なお、基地局装置が移動局装置に割り当てる（設定する、追加する）上りリンクコンポーネントキャリアの数は、下りリンクコンポーネントキャリアの数と同じか少ないことが望ましい。
【００４２】
[通信ネットワーク構成]
図９は、本発明の実施形態に係る通信ネットワーク構成の一例を示す図である。移動局装置２は、キャリア・アグリゲーションによって複数の周波数（コンポーネントキャリア、Band1〜Band4）の周波数帯域を同時に用いて基地局装置１と無線接続することが可能な場合、通信ネットワーク構成としては、ある一つの基地局装置１が複数の周波数毎に送信器１１〜１４（および図示しない４つの受信器）を備えており、各周波数の制御を一つの基地局装置１で行なう構成が制御の簡略化の観点から好適である。基地局装置１の構成は図９に限定されない。
【００４３】
ただし、複数の周波数が連続する周波数であるなどの理由で、基地局装置１が一つの送信器で複数の周波数の送信を行なう構成であっても構わない。さらには、周波数毎に送受信のタイミングが異なるような構成であっても良い。送信器と受信器の数や送受信可能な周波数が異なっていてもよい。基地局装置１の送信器によって制御される各周波数の通信可能範囲はセルとしてみなされる。このとき、各周波数がカバーするエリア（セル）はそれぞれ異なる広さ、異なる形状であっても良い。また、カバーするエリアが周波数毎に異なっていてもよい。
【００４４】
ただし、後述する記載において、基地局装置１が構成するコンポーネントキャリアの周波数でカバーされるエリアのことをそれぞれセルと称して説明するが、これは本発明の各実施形態における移動局装置や基地局装置を実際に運用する通信システムにおけるセルの定義とは異なる可能性があることに注意する。例えば、ある通信システムでは、キャリア・アグリゲーションによって用いられるコンポーネントキャリアの一部のことを、セルではなく単なる追加の無線リソースと定義するかもしれない。また、従来のセルとは異なる拡張セルとして定義するかもしれない。本発明の各実施形態でコンポーネントキャリアをセルと称することで、実際に運用される通信システムにおけるセルの定義と異なる場合が発生したとしても、本発明の各実施形態の主旨には影響しない。
【００４５】
なお、キャリア・アグリゲーションは、複数のコンポーネントキャリア（周波数帯域）を用いた複数のセルによる通信であり、セル・アグリゲーションとも称される。なお、移動局装置２は、周波数毎にリレー局装置（またはリピーター）を介して基地局装置１と無線接続されても良い。すなわち、本発明の各実施形態の基地局装置１は、リレー局装置に置き換えることができる。
【００４６】
３ＧＰＰが規定する第３世代の基地局装置１はノードＢ（NodeB）と称され、ＥＵＴＲＡおよびＡｄｖａｎｃｅｄ  ＥＵＴＲＡにおける基地局装置はイーノードＢ（eNodeB）と称される。なお、３ＧＰＰが規定する第３世代の移動局装置２はユーイー（User Equipment; UE）と称される。基地局装置１は移動局装置２が通信可能なエリアであるセルを管理し、セルは移動局装置２と通信可能なエリアの大きさに応じてマクロセルやフェムトセルやピコセル、ナノセルとも称される。また、移動局装置２がある基地局装置１と通信可能であるとき、その基地局装置１のセルのうち、移動局装置２との通信に使用しているセルは在圏セル（Serving cell）であり、その他のセルは周辺セル（Neighboring cell）と称される。つまり、キャリア・アグリゲーションを用いて移動局装置２と基地局装置１が複数のセルを用いて通信している場合、移動局装置２における在圏セルは複数存在することになる。
【００４７】
また、各実施形態において単に移動局装置または基地局装置と称した場合、キャリア・アグリゲーションによって異なる複数の上りリンク送信タイミングを持つセルを集約した通信をサポートする移動局装置および基地局装置のことを示す。
【００４８】
[コンポーネントキャリア設定]
図１０は、本発明の実施形態に係る移動局装置２がキャリア・アグリゲーションを行なう場合に、基地局装置１が移動局装置２に対して設定する下りリンクコンポーネントキャリアと、上りリンクコンポーネントキャリアの対応関係の一例を示した図である。図１０では、４個の下りリンクコンポーネントキャリア（下りリンクコンポーネントキャリアＤＬ＿ＣＣ１〜ＤＬ＿ＣＣ４）と３個の上りリンクコンポーネントキャリア（上りリンクコンポーネントキャリアＵＬ＿ＣＣ１〜ＵＬ＿ＣＣ３）の対応関係について示すが、本発明の実施形態が図１０に示すコンポーネントキャリアの設定例の構成のみに限定されるということではない。
【００４９】
図１０中の下りリンクコンポーネントキャリアＤＬ＿ＣＣ１と上りリンクコンポーネントキャリアＵＬ＿ＣＣ１、下りリンクコンポーネントキャリアＤＬ＿ＣＣ２と上りリンクコンポーネントキャリアＵＬ＿ＣＣ２、および下りリンクコンポーネントキャリアＤＬ＿ＣＣ３と上りリンクコンポーネントキャリアＵＬ＿ＣＣ３はセル固有接続（Ｃｅｌｌ  Ｓｐｅｃｉｆｉｃ  Ｌｉｎｋａｇｅ）している。また、下りリンクコンポーネントキャリアＤＬ＿ＣＣ４のように、上りリンクコンポーネントキャリアの設定のない（セル固有接続のない）、下りリンクのみのコンポーネントキャリアをキャリア・アグリゲーションのために構成することも可能である。
【００５０】
セル固有接続とは、上りリンクと下りリンクのコンポーネントキャリアの対応関係（連携関係、リンク情報）であり、典型的には報知情報の一部（System Information Block Type2; SIB2）でその対応関係が示される。セル固有接続は、ＳＩＢ２  ｌｉｎｋａｇｅとも称され、報知情報の一部として設定（コンフィギュレーション）が明示的に通知されるか、キャリア・アグリゲーションにおけるコンポーネントキャリア（セル）を追加する場合に、ＲＲＣメッセージ（レイヤ３メッセージ）で対応関係の設定が通知されるか、または明示的に指示されない場合に一意に決められる上りリンクと下りリンクの規定の対応関係の情報を用いるなどして暗黙的に設定が通知される。ＲＲＣメッセージを用いる場合、基地局装置１は、設定する当該下りリンクコンポーネントキャリアの報知情報で示される上りリンクコンポーネントキャリアと異なるセル固有接続の情報を移動局装置２に通知してもよい。
【００５１】
これに対し、基地局装置１は、下りリンクコンポーネントキャリアと上りリンクコンポーネントキャリアの対応関係を、セル固有接続とは別に移動局装置２毎に個別に設定（個別接続；ＵＥ  Ｓｐｅｃｉｆｉｃ  Ｌｉｎｋａｇｅ）することも可能である。図１０では下りリンクコンポーネントキャリアＤＬ＿ＣＣ３と上りリンクコンポーネントキャリアＵＬ＿ＣＣ２が個別接続されている。このとき、個別接続の設定はＲＲＣメッセージ（レイヤ３メッセージ）で示される。基地局装置１は、物理ランダムアクセスチャネルの送信に必要な設定（コンフィギュレーション）を上りリンクコンポーネントキャリア毎、または上りリンク周波数毎に複数割り当てることも可能である。
【００５２】
セル固有接続は、典型的には、移動局装置２がキャリア・アグリゲーションしていない場合に、基地局装置１との通信に用いる上りリンクと下りリンクの周波数の対応関係を示すために使用される。また、キャリア・アグリゲーション時に物理下りリンク制御チャネルによって通知される無線リソース割り当てが適用される上りリンクと下りリンクのコンポーネントキャリアの対応関係を示すために使用される。
【００５３】
個別接続は、典型的には、移動局装置２の上りリンクコンポーネントキャリアの送信電力制御に用いるパスロスを、どの下りリンクコンポーネントキャリアの品質を基に算出するかを示すために使用される。また、個別接続は、移動局装置２のコンポーネントキャリアのスケジューリング（無線リソース割り当て）を行う無線リソース割り当て情報を通知する物理下りリンク制御チャネルＰＤＣＣＨが、どの下りリンクコンポーネントキャリアで送信されるかを示すために使用される。
【００５４】
無線リソース要求のための上りリンク制御チャネル設定の行われる上りリンクコンポーネントキャリアと、当該上りリンクコンポーネントキャリアとセル固有接続される下りリンクコンポーネントキャリアから構成されるセルは、プライマリセル（Primary Cell; PCell）と称される。また、プライマリセル以外のコンポーネントキャリアから構成されるセルは、セカンダリセル（Secondary cell; SCell）と称される。
【００５５】
移動局装置２は、プライマリセルでページングメッセージの受信、報知情報の更新の検出、初期アクセス手順およびスケジューリング要求のためのランダムアクセスなどを行う一方、セカンダリセルではこれらを行わない。プライマリセルは活性化（Ａｃｔｉｖａｔｉｏｎ）および不活性化（Ｄｅａｃｔｉｖａｔｉｏｎ）の制御の対象外であるが（つまり必ず活性化しているとみなされる）、セカンダリセルは活性化および不活性化という状態（ｓｔａｔｅ）を持ち、これらの状態の変更は、基地局装置１から明示的に指定されるほか、コンポーネントキャリア毎に移動局装置２に設定されるタイマーに基づいて状態が変更される。前述したように、プライマリセルとセカンダリセルとを合わせてサービングセル（在圏セル）と称する。
【００５６】
セカンダリセルを識別するため、移動局装置２と基地局装置１は、プライマリセルおよびセカンダリセルに対してセルインデックスを割り振り、セルインデックスを用いることで追加、削除、変更の対象となる在圏セルを識別する。プライマリセルのセルインデックスは常に０（ゼロ）であり、セカンダリセルのセルインデックスは１〜７のいずれか一つが割り振られる。
【００５７】
ここで、コンポーネントキャリアの活性化または不活性化（すなわちセカンダリセルの活性化または不活性化）は、レイヤ２の構成タスクで解釈可能なＬ２（レイヤ２）メッセージによって制御されるように構成される。すなわち、物理層（レイヤ１）でデコードされた後にレイヤ２で認識される制御コマンドによって活性化または不活性化が制御される。なお、ＥＵＴＲＡならびにＡｄｖａｎｃｅｄ  ＥＵＴＲＡにおけるＬ２メッセージは、ＭＡＣ層で解釈される制御コマンド（ＭＡＣ制御要素；ＭＡＣ  Ｃｏｎｔｒｏｌ  Ｅｌｅｍｅｎｔ）によって通知される。
【００５８】
移動局装置２は、不活性化されたコンポーネントキャリア（セカンダリセル）のスケジューリングに用いる上りリンクグラント、および下りリンクグラント（下りリンクアサインメント）のモニタを停止してよい。すなわち、物理下りリンク制御チャネルのモニタを停止してよい。また、移動局装置２は、不活性化されたコンポーネントキャリア（セカンダリセル）の上りリンクに関して、上りリンク基準信号である周期的サウンディング基準信号（Ｐｅｒｉｏｄｉｃ  ＳＲＳ）の送信を停止してもよい。また、移動局装置２は、不活性化されたコンポーネントキャリア（セカンダリセル）の上りリンクに関して、物理上りリンク制御チャネルの送信を停止しても良い。また、移動局装置２は、不活性化されたコンポーネントキャリア（セカンダリセル）の下りリンクに関して、活性化した状態よりも低いサンプリングレートで測定を実施してもよい。
【００５９】
[測定]
図１１は、ＥＵＴＲＡにおける、移動局装置２ならびに基地局装置１のＲＲＭ（radio resource management）測定設定管理方法について説明するためのシーケンスチャート図である。
【００６０】
図１１の例において、基地局装置１は、自局が運用する周波数としてＦ１とＦ２という異なる２つの周波数を使用可能であるとし、移動局装置２と基地局装置１は、周波数Ｆ１において無線接続が確立された状態（無線リソース制御接続状態（Ｒａｄｉｏ  Ｒｅｓｏｕｒｃｅ  Ｃｏｎｔｒｏｌ  Ｃｏｎｎｅｃｔｅｄ：ＲＲＣ＿Ｃｏｎｎｅｃｔｅｄ））である。ここで、基地局装置１は、移動局装置２に対して通信中のセル（在圏セル）並びにその他セル（周辺セル）の受信品質を測定させるために測定設定メッセージを送信する（ステップＳ１１１）。測定設定メッセージには、測定される周波数（周波数Ｆ１と周波数Ｆ２）毎に少なくとも一つの測定設定情報が含まれている。測定設定情報は、測定ＩＤと、測定対象周波数（ｍｅａｓｕｒｅｍｅｎｔ  ｏｂｊｅｃｔ）と、測定対象周波数に対応する測定対象周波数ＩＤと、測定イベントを含んだ報告設定と、報告設定に対応する報告設定ＩＤとで構成される。一つの測定対象周波数ＩＤに対し複数の報告設定ＩＤがリンクされるように構成されていても良い。同様に、複数の測定対象周波数ＩＤに対して一つの報告設定ＩＤがリンクされるように構成されていても良い。
【００６１】
測定イベントとは、例えば、在圏セルのセル固有基準信号の受信品質が所定の閾値よりも下回った／上回ったとき、周辺セルのセル固有基準信号の受信品質が在圏セルよりも下回ったとき、周辺セルの受信品質が所定の閾値よりも上回ったとき、などの条件と、当該条件を判定するために用いるパラメータから構成される情報である。パラメータには閾値や、オフセット値、測定イベントの成立に必要な時間などが設定される。
【００６２】
移動局装置２は、ステップＳ１１２において、基地局装置１から設定された測定設定情報を内部情報として保存してから測定処理を開始する。具体的には、移動局装置２は測定ＩＤと測定対象周波数ＩＤと報告設定ＩＤとを一つにリンクされるよう対応付けて管理し、各ＩＤに対応する測定情報を基に測定を開始する。これらの３つのＩＤが一つにリンクされている場合、有効とみなして関連する測定を開始し、これらの３つのＩＤが一つにリンクされていない場合（いずれかのＩＤが設定されていない場合）、無効とみなして関連する測定は開始されない。そして、誤り無く測定設定情報を設定できた場合、移動局装置２は、ステップＳ１１３において測定設定完了メッセージを基地局装置１へ送信する。
【００６３】
そして、移動局装置２において、設定された測定イベントのいずれかがパラメータに従い条件を満たした場合、当該測定イベントがトリガ（ｔｒｉｇｇｅｒ）されたとして、測定報告メッセージを基地局装置１に対して送信する（ステップＳ１１４）。測定報告メッセージには、少なくともトリガされた測定イベントの報告設定ＩＤにリンクした測定ＩＤと、必要であれば関連するセルの測定結果が設定される。基地局装置１は測定ＩＤがどの測定イベントの報告設定ＩＤにリンクしているかを把握しているため、移動局装置２は測定報告メッセージで報告設定ＩＤを通知する必要はない。
【００６４】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００６５】
［第１の実施形態］
本発明の第１の実施形態について以下に説明する。
【００６６】
図１は、本発明の実施形態による基地局装置１の一例を示すブロック図である。本基地局装置１は、受信部１０１、復調部１０２、復号部１０３、制御部１０４、符号部１０５、変調部１０６、送信部１０７、ネットワーク信号送受信部１０８、上位レイヤ１０９で構成される。
【００６７】
上位レイヤ１０９は、下りリンクトラフィックデータと下りリンク制御データを符号部１０５へ出力する。符号部１０５は、入力された各データを符号化し、変調部１０６へ出力する。変調部１０６は、符号部１０５から入力された信号の変調を行なう。また、変調部１０６において変調された信号は、下りリンク基準信号が多重され、周波数領域の信号としてマッピングされる。送信部１０７は、変調部１０６から入力された信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣ（Radio Resource Control）メッセージ）を構成する。
【００６８】
また、受信部１０１は、移動局装置２（図２参照）からの受信信号をベースバンドのデジタル信号に変換する。受信部１０１で変換されたデジタル信号は、復調部１０２へ入力されて復調される。復調部１０２で復調された信号は、続いて復号部１０３へ入力されて復号される。復号部１０３は、受信信号を上りリンクトラフィックデータと上りリンク制御データに適切に分離し、それぞれ上位レイヤ１０９へ出力する。
【００６９】
これら各ブロックの制御に必要な基地局装置制御情報は、上位レイヤ１０９より制御部１０４へ入力され、制御部１０４からは、送信に関連する基地局装置制御情報が送信制御情報として、符号部１０５、変調部１０６、送信部１０７の各ブロックに、受信に関連する基地局装置制御情報が受信制御情報として、受信部１０１、復調部１０２、復号部１０３の各ブロックに適切に入力される。
【００７０】
一方、ネットワーク信号送受信部１０８は、複数の基地局装置１間（または制御局装置（ＭＭＥ）、ゲートウェイ装置（Ｇａｔｅｗａｙ）、ＭＣＥ）と基地局装置１との間の制御メッセージの送信または受信を行なう。制御メッセージはネットワーク回線を経由して送受信される。制御メッセージは、Ｓ１インターフェースやＸ２インターフェースやＭ１インターフェースやＭ２インターフェースと呼ばれる論理インターフェース上でやり取りされる。図１において、その他の基地局装置１の構成要素は本実施形態に関係ないため省略する。
【００７１】
図２は、本発明の実施形態に係る移動局装置２の一例を示すブロック図である。本移動局装置２は、受信部２０１、復調部２０２、復号部２０３、測定処理部２０４、制御部２０５、ランダムアクセス処理部２０６、符号部２０７、変調部２０８、送信部２０９、上位レイヤ２１０、測定部２１１で構成される。
【００７２】
受信に先立ち、上位レイヤ２１０は、移動局装置制御情報を制御部２０５に出力する。制御部２０５は、受信に関する移動局装置制御情報を受信制御情報として、受信部２０１、復調部２０２、復号部２０３、測定部２１１へ適切に出力する。受信制御情報は、受信スケジュール情報として、復調情報、復号化情報、受信周波数帯域の情報、各チャネルに関する受信タイミング、多重方法、無線リソース配置情報などの情報が含まれている。
【００７３】
受信部２０１は、受信制御情報で通知された周波数帯域で、図示しない一つ以上の受信器を通じて、後述する基地局装置１から信号を受信し、受信した信号をベースバンドのデジタル信号に変換して、復調部２０２へ出力する。また、受信部２０１は受信した基準信号を測定部２１１へ出力する。復調部２０２は、受信信号を復調して復号部２０３へ出力する。復号部２０３は、受信制御情報に基づき復調された信号を正しく復号し、下りリンクトラフィックデータと下りリンク制御データに適切に分離し、それぞれ上位レイヤ２１０へ出力する。測定部２１１は、受信した基準信号のＲＳＲＰやＲＳＲＱやＣＳＩなどを測定し、測定結果を上位レイヤ２１０へ出力する。
【００７４】
上位レイヤ２１０は、下りリンク制御データにコンポーネントキャリアの追加、修正または解放などの情報や、割り当てられたコンポーネントキャリア（あるいは上りリンクと下りリンクのコンポーネントキャリアを合わせたセル）の活性化／不活性化情報が含まれる場合はコンポーネントキャリア管理部２０４に当該情報を通知する。コンポーネントキャリア管理部２０４は、通知された内容に基づき、自局に既に割り当てられたセカンダリセル番号のコンポーネントキャリア（セル）のパラメータ修正や解放をおこなったり、あるいは新たなセカンダリセル番号のコンポーネントキャリア（セル）のパラメータを記憶したり、各セカンダリセルの活性／不活性状態の記憶をおこなったりする。また、割り当てられた複数のセカンダリセルが異なる送受信タイミングを持つ場合には、同一の送受信タイミングとなる１つ以上のセルによって構成されるセルグループの情報を記憶する。前記セルグループの情報には、セルグループ毎の送受信タイミング、送信タイミングタイマー計時状況などの情報が含まれる。なお、コンポーネントキャリアの活性化／不活性化情報は、上位レイヤ２１０を介さずに復号部２０３からコンポーネントキャリア管理部２０４に通知されてもよい。
【００７５】
また、送信に先立ち、上位レイヤ２１０は、制御部２０５へ移動局装置制御情報を出力する。制御部２０５は、送信に関する移動局装置制御情報を送信制御情報として、ランダムアクセス処理部２０６、符号部２０７、変調部２０８、送信部２０９へ適切に出力する。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。
【００７６】
上位レイヤ２１０は、符号部２０７へ上りリンクトラフィックデータと上りリンク制御データを上りリンクチャネルに応じて適切に出力する。符号部２０７は送信制御情報に従い、各データを適切に符号化し、変調部２０８に出力する。変調部２０８は、符号部２０７で符号化された信号の変調を行なう。また、変調部２０８は、変調された信号に対して下りリンクリファレンスシグナルを多重し、周波数バンドにマッピングする。
【００７７】
送信部２０９は、変調部２０８から出力された周波数バンドの信号を時間領域の信号へ変換し、変換した信号を既定の周波数の搬送波にのせて電力増幅を行なうと共に図示しない１つ以上の送信器から送信する。
【００７８】
また、復号部２０３で復号した信号に、ハンドオーバ前の送信タイミングをハンドオーバ後にも適用するセルグループを示す情報が含まれていた場合、前記情報は上位レイヤ２１０を通じて（あるいは復号部２０３から直接）コンポーネントキャリア管理部２０４およびランダムアクセス処理部２０６に通知される。ランダムアクセス処理部２０６は、通知された情報と、コンポーネントキャリア管理部２０４から取得した各コンポーネントキャリア情報に基づき、ハンドオーバ後のランダムアクセス手順の要否を判断する。
【００７９】
また、ハンドオーバ後、コンポーネントキャリア管理部２０４は、ハンドオーバ前の送信タイミングを適用するセルグループに対して、活性状態とする処理を行う。また、前記セルグループに属するセルにおいては、送信タイミングタイマーが計時中であれば、ランダムアクセス手順を行わずに上りリンク送信を行うことが可能である。あるいは、ハンドオーバ後は不活性状態としつつ、送信タイミングタイマーの計時を継続してもよい。後者の場合、基地局装置１から前記セルグループの活性化を指示する信号を復調部２０３で復調した場合に、該当するセルを活性状態にする処理を行い、活性状態となったセルに対してはランダムアクセス手順を行わずに上りリンク送信を行う。前記送信タイミングタイマーは、移動局装置に対して１つのみが用意されていても、セルグループ毎に用意されていてもよい。
【００８０】
図２において、その他の移動局装置２の構成要素は本実施形態に関係ないため省略してある。
【００８１】
次に、基地局装置と移動局装置との間の無線インターフェースプロトコルの構造を示す。図３はユーザ平面（user plane; U-plane）の無線プロトコル構造（radio protocol architecture）を示すブロック図である。また、図４は制御平面（control plane; C-plane）の無線プロトコル構造を示すブロック図である。ユーザ平面は、ユーザデータ送受信のためのプロトコルスタック（ｐｒｏｔｏｃｏｌ ｓｔａｃｋ）であり、制御平面は、制御信号送受信のためのプロトコルスタックである。
【００８２】
図３及び図４において、第１の階層（レイヤ１）である物理層（Physical layer; PHY）では、異なる物理階層間、すなわち、送信側と受信側の物理層間で前述の物理チャネルを用いて通信がおこなわれる。物理層は、上位にあるメディアアクセス制御（Medium Access Control; MAC）層にトランスポートチャネル（Transport channel）を介して連結されており、このトランスポートチャネルを介して物理層はＭＡＣ層に情報転送サービス（information transfer service）をおこなう。
【００８３】
第２の階層（レイヤ２）のＭＡＣ層では、論理チャネル（logical channel）とトランスポートチャネルのマッピング、ＨＡＲＱ（Hybrid Automatic Repeat reQuest）によるエラー訂正、論理チャネル間の優先度に基づいた転送処理などがおこなわれる。ＭＡＣ層は、論理チャネルを介して上位階層である無線リンク制御（Radio Link Control; RLC）層と連結される。
【００８４】
第２の階層のＲＬＣ層は、データ転送の信頼性のサポートをおこなう。ＲＬＣ層にはデータの送信方法に応じて透過モード（Transparent Mode; TM）、非応答モード（Unacknowledged Mode; UM）及び応答モード（Acknowledged Mode; AM）の３種類の動作モードが存在する。ＡＭでは、ＡＲＱによるエラー訂正やプロトコルエラー検出などがおこなわれる。
【００８５】
第２の階層のＰＤＣＰ（Packet Data Convergence Protocol）層は、ＩＰパケットヘッダサイズを減らすヘッダ圧縮（header compression）やデータの暗号化、暗号の復号化などをおこなう。
【００８６】
第３階層（レイヤ３）の無線リソース制御（Radio Resource Control; RRC）層は、制御平面でのみ定義される。ＲＲＣ層は、ＮＡＳ（non-access stratum）やＡＳ（access stratum）関連情報の報知や、ＲＲＣ接続の管理（Establishment/maintenance/release）、無線ベアラ（Radio Bearer; RB）の設定（configuration）、再設定（re-configuration）及び解放（release）、モビリティ（ハンドオーバ）、測定の管理とレポート、ＱｏＳ管理などをおこなう。
【００８７】
ＲＲＣ層上位に位置するＮＡＳ層は、セッション管理やモビリティ管理などをおこなう。
【００８８】
ここで、基地局装置１のＭＡＣ層およびＲＲＣ層は、上位レイヤ１０９の一部として存在する。また、移動局装置２のＭＡＣ層は、コンポーネントキャリア管理部２０４の一部、ランダムアクセス処理部２０６および上位レイヤ２０９の一部として存在し、移動局装置２のＲＲＣ層は、コンポーネントキャリア管理部２０４の一部および上位レイヤ２０９の一部として存在する。
【００８９】
続いて、本実施形態の通信システムにおけるＣＳＩ基準信号の測定手順について、図５を用いて説明を行なう。
【００９０】
ここで、従来のＣＳＩ基準信号設定はＲＲＣメッセージの情報要素（Information element; IE）であるＰｈｙｓｉｃａｌＣｏｎｆｉｇＤｅｄｉｃａｔｅｄおよびＰｈｙｓｉｃａｌＣｏｎｆｉｇＤｅｄｉｃａｔｅｄＳＣｅｌｌ−ｒ１０に含まれる情報要素（ＣＳＩ−ＲＳ−Ｃｏｎｆｉｇ−ｒ１０）を用いて通知され、ＰＣｅｌｌおよび各ＳＣｅｌｌに１種類ずつ設定することが可能であった。以下の説明において、本実施形態におけるＣＳＩ基準信号設定も従来と同様にＰｈｙｓｉｃａｌＣｏｎｆｉｇＤｅｄｉｃａｔｅｄおよびＰｈｙｓｉｃａｌＣｏｎｆｉｇＤｅｄｉｃａｔｅｄＳＣｅｌｌ−ｒ１０の情報要素を用いて通知されるものとして説明をおこなうが、これに限定されるものではなく、ＲＲＣメッセージの情報要素を新たに定義して通知してもよい。
【００９１】
図５において、まず、基地局装置１は移動局装置２に対して、ＲＲＣメッセージを用いて１または複数のＣＳＩ基準信号設定を通知する（ステップＳ５１）。ここで通知されるＣＳＩ基準信号設定には、ＣＳＩ基準信号の信号系列を一意に示す情報と、ＣＳＩ基準信号の配置を示すリソース情報と、複数のＣＳＩ基準信号設定を識別するためのインデックス（第１の識別子）とが含まれる。例えば、このインデックスを０からの連番として定義する場合、各セル（ＰＣｅｌｌおよび各ＳＣｅｌｌ）でそれぞれ０からの連番としてもよいし、すべてのセルのすべての設定に対して０からの連番としてもよい。あるいは、ＣＳＩ基準信号の信号系列が各セル内の設定ごとに異なる場合は、この信号系列を一意に示す情報をインデックスの代用とすることもできる。また、前記ＣＳＩ基準信号設定は完全な設定のリストを変更がある度に通知する方法でもよいし、追加・修正、削除の情報要素を用いて、個々の設定を追加・修正あるいは削除できるようにする方法でもよい。
【００９２】
次に、基地局装置１は移動局装置２に対して、ＲＲＣメッセージを用いてＣＳＩ基準信号管理測定設定を通知する（ステップＳ５２）。ここで、ＣＳＩ基準信号管理測定とは、ＣｏＭＰ通信で使用するＣＳＩ基準信号を選択するために前記ＣＳＩ基準信号設定で設定されたＣＳＩ基準信号の受信品質（ＲＳＲＰやＲＳＲＱ）を測定することを意味する。ＣＳＩ基準信号管理測定設定には、例えばセルインデックスなどの測定対象となるセルを一意に示す設定（第２の識別子）と、報告設定と、前記２つの設定の組み合わせに対して一意に紐付けされる測定ＩＤ（第３の識別子）とが含まれる。報告設定には、周期的（Periodic）な報告かイベント発生時の報告か、ＲＳＲＰとＲＳＲＱのどちら（あるいは両方）を報告するのか、などの情報が含まれる。また、測定イベントとは、例えば、測定対象セルの任意のＣＳＩ基準信号の受信品質が所定の閾値よりも下回った／上回ったとき、任意のＣＳＩ基準信号の受信品質が特定のＣＳＩ基準信号の受信品質を下回った／上回ったとき、などの条件と、当該条件を判定するために用いるパラメータとで構成される情報である。パラメータには閾値や、オフセット値、測定イベントの成立に必要な時間などが設定される。
【００９３】
前記２つの設定と測定ＩＤの追加・変更や削除を個別におこなうことができるように、それぞれに対して追加・変更や削除のための情報要素を持つようにしてもよい。例えば、２つの測定対象セルと３つの報告設定が通知され、前記セルと報告設定の組み合わせに対して３つの測定ＩＤが設定される場合について図６を用いて説明する。
【００９４】
基地局装置１は、測定対象セルとして、セルインデックス＃１のセルとセルインデックス＃２のセルに、それぞれ識別子０と１を割り当てて移動局装置２に通知する。また、基地局装置１は、測定設定として、報告設定１と報告設定２と報告設定３に、それぞれ識別子０，１，２を割り当てて移動局装置２に通知する。さらに基地局装置１は、前記測定セルの識別子と前記報告設定の識別子の組み合わせに対して紐付けされる測定ＩＤを移動局装置２に通知する。
【００９５】
図６では、測定ＩＤ＃０として、識別子０の測定対象セルと識別子０の報告設定との組み合わせが指定されている。同様に、識別子０の測定対象セルと識別子１の報告設定との組み合わせが測定ＩＤ＃１に指定され、識別子１の測定対象セルと識別子２の報告設定との組み合わせが測定ＩＤ＃２に指定されている。
【００９６】
ここでは、一つの測定対象セルに対して複数の報告が設定される場合を前提としているが、一つの測定対象セルに対して一つの報告設定のみが設定される場合、測定対象セルを一意に示す設定（例えばセルインデックス）を測定ＩＤの代用とすることができる。例えば図７に示すように、基地局装置１は、各セルインデックスに対してひとつの報告設定を設定して移動局装置２に通知し、移動局装置２は、セルインデックスを測定ＩＤとして設定する。なお、報告設定が設定されないセルは測定対象とはならないため、測定ＩＤは連番とはならない場合もある。あるいは、報告設定が設定されたセルインデックスの昇順（あるいは降順）に、通し番号の測定ＩＤを紐付けするようにしてもよい。
【００９７】
図５に戻り、ステップＳ５２でＣＳＩ基準信号管理測定設定を通知された移動局装置２は、通知された測定設定を内部情報として保存する（ステップＳ５３）。具体的には、移動局装置２は測定ＩＤと測定対象セルの識別子と報告設定の識別子とを一つに紐付けして管理し、測定をおこなう。測定ＩＤに紐付けられた測定対象セルの識別子と報告設定の識別子が存在する場合、設定を有効とみなして前記紐付けられた測定対象セルの測定をおこない、測定ＩＤに紐付けられた測定対象セルの識別子あるいは報告設定の識別子のどちらかあるいは両方が存在しない場合、設定を無効とみなして前記測定ＩＤに関連する測定はおこなわない。そして、誤り無く測定設定情報を設定できた場合、移動局装置２は、基地局装置１にＣＳＩ基準信号管理測定設定完了の通知をおこない（ステップＳ５４）、測定を開始する。
【００９８】
その後、移動局装置２は、測定対象セルが報告設定の条件を満たす場合に、基地局装置１に対して、ＲＲＣメッセージを用いてＣＳＩ基準信号管理測定報告を送信する（ステップＳ５５）。ＣＳＩ基準信号管理測定報告には、少なくとも測定ＩＤと、ＣＳＩ基準信号設定通知で設定されたインデックスとが含まれる。ただし、一つの測定対象セルに対して一つの報告設定のみが設定される場合であり、かつセル毎にＣＳＩ基準信号管理測定報告をおこなう場合には、測定ＩＤは不要となる。
【００９９】
ＣＳＩ基準信号管理測定報告を受信した基地局装置１は、報告された管理測定結果に基づき、ＣＳＩ測定を設定する（ＣｏＭＰ通信に使用する）ＣＳＩ基準信号を選択し、ＣＳＩ測定設定として、移動局装置２に通知する（ステップＳ５６）。ＣＳＩ測定設定には、ＣＳＩ基準信号設定通知で通知されたインデックスとＣＳＩ測定報告の種別（周期的（Periodic）か非周期的（Aperiodic）か）とが含まれる。
【０１００】
なお、測定対象セルと報告設定の追加・修正、削除は任意のタイミングでおこなわれ、更新の際にはステップＳ５３の設定の有効／無効の判断がおこなわれる。
【０１０１】
上述のように、基地局装置１は、ＣＳＩ基準信号管理測定をおこなうすべての設定と報告設定とを移動局装置２に通知し、移動局装置２は、前記報告設定で指定された測定対象セル（測定オブジェクト）において、前記セルに設定されたすべてのＣＳＩ基準信号設定のＣＳＩ基準信号を測定対象として管理測定をおこない、報告設定の条件に合致するＣＳＩ基準信号設定のインデックス（と必要であれば測定値）を基地局装置１に報告し、基地局装置１は、前記報告に基づき、ＣｏＭＰ動作のために必要なＣＳＩ測定をおこなうＣＳＩ基準信号設定をＣＳＩ基準信号管理測定と共通のインデックスを用いて通知することにより、複数の測定に関するシグナリングを効率化することが可能となる。また、一つの測定対象セルに対して一つの報告設定のみが設定される通信システムでは、測定対象セルを一意に示す設定（例えばセルインデックス）を測定ＩＤの代用とすることで、既存のＲＲＭ測定の仕組みと比較して、シグナリングの効率化をおこなうことができる。さらに、一つの測定対象セルに対して一つの報告設定のみが設定される場合であり、かつセル毎にＣＳＩ基準信号管理測定報告をおこなう場合には、測定ＩＤを通知せず結果のみを通知してもよい。
【０１０２】
［第２の実施形態］
以下、本発明の第２の実施形態について説明する。第１の実施形態ではＣＳＩ基準信号管理測定をおこなうすべての設定がＣＳＩ基準信号設定通知で通知される例を示したが、本実施形態ではＣｏＭＰに利用されるＣＳＩ基準信号（ＣＳＩ測定をおこなうＣＳＩ基準信号）が別に通知される場合の例を示す。
【０１０３】
本実施形態の説明で用いる通信システム（基地局装置１および移動局装置２）の構成は第１の実施形態と同じであるため説明を省略する。また、通信に用いられるメッセージも第１の実施形態と同様に新規のメッセージの利用あるいは既存のメッセージの流用が可能である。
【０１０４】
続いて、本実施形態の通信システムにおけるＣＳＩ基準信号の測定手順について、図８を用いて説明を行なう。
【０１０５】
図８において、まず、基地局装置１は移動局装置２に対して、ＲＲＣメッセージを用いてＣＳＩ測定設定を通知する（ステップＳ８１）。ここで通知されるＣＳＩ測定設定には、１または複数のＣＳＩ基準信号設定が含まれる。各ＣＳＩ基準信号設定には、ＣＳＩ基準信号の信号系列を一意に示す情報と、ＣＳＩ基準信号の配置を示すリソース情報と、複数のＣＳＩ基準信号設定を識別するためのインデックスとが含まれる。例えば、このインデックスを０からの連番として定義する場合、各セル（ＰＣｅｌｌおよび各ＳＣｅｌｌ）でそれぞれ０からの連番としてもよいし、すべてのセルのすべての設定に対して０からの連番としてもよい。あるいは、ＣＳＩ基準信号の信号系列が各セル内の設定ごとに異なる場合は、この信号系列を一意に示す情報をインデックスの代用とすることもできる。また、ＣＳＩ測定設定には、ＣＳＩ測定報告の種別（周期的（Periodic）か非周期的（Aperiodic）か）も含まれる。
【０１０６】
さらに、基地局装置１は移動局装置２に対して、ＲＲＣメッセージの別の情報要素を用いて追加ＣＳＩ基準信号設定を通知する。ここで通知される追加ＣＳＩ基準信号設定には、前記ＣＳＩ測定設定には含まれない１または複数のＣＳＩ基準信号設定のみが含まれる。各ＣＳＩ基準信号設定には、ＣＳＩ基準信号の信号系列を一意に示す情報と、ＣＳＩ基準信号の配置を示すリソース情報と、複数のＣＳＩ基準信号設定を識別するためのインデックスとが含まれる。このインデックスは前記ＣＳＩ測定設定で設定されるＣＳＩ基準信号設定のインデックスとは重複しないように基地局装置１によって設定される。ここで、前記ＣＳＩ基準信号設定および追加ＣＳＩ基準信号設定は完全な設定のリストを変更がある度に通知する方法でもよいし、追加・修正、削除の情報要素を用いて、個々の設定を追加・修正あるいは削除できるようにする方法でもよい。
【０１０７】
次に、基地局装置１は移動局装置２に対して、ＲＲＣメッセージを用いてＣＳＩ基準信号管理測定設定を通知する（ステップＳ８２）。ここでＣＳＩ基準信号管理測定設定には、測定対象となるセルを一意に示す設定（例えばセルインデックス）と、報告設定と、前記２つの設定の組み合わせに対して一意に紐付けされる測定ＩＤとが含まれる。報告設定には、周期的（Periodic）な報告かイベント発生時の報告か、ＲＳＲＰとＲＳＲＱのどちら（あるいは両方）を報告するのか、などの情報が含まれる。また、測定イベントとは、例えば、測定対象セルの任意のＣＳＩ基準信号の受信品質が所定の閾値よりも下回った／上回ったとき、任意のＣＳＩ基準信号の受信品質が特定のＣＳＩ基準信号の受信品質を下回った／上回ったとき、などの条件と、当該条件を判定するために用いるパラメータとで構成される情報である。パラメータには閾値や、オフセット値、測定イベントの成立に必要な時間などが設定される。
【０１０８】
ステップＳ８２でＣＳＩ基準信号管理測定設定を通知された移動局装置２は、通知された測定設定を内部情報として保存する（ステップＳ８３）。具体的には、移動局装置２は測定ＩＤと測定対象セルの識別子と報告設定の識別子とを一つに紐付けして管理し、測定を開始する。測定ＩＤに紐付けられた測定対象セルの識別子と報告設定の識別子が存在する場合、設定を有効とみなして前記紐付けられた測定対象セルの測定をおこない、測定ＩＤに紐付けられた測定対象セルの識別子あるいは報告設定の識別子のどちらかあるいは両方が存在しない場合、設定を無効とみなして前記測定ＩＤに関連する測定はおこなわれない。そして、誤り無く測定設定情報を設定できた場合、移動局装置２は、基地局装置１にＣＳＩ基準信号管理測定設定完了の通知をおこない（ステップＳ８４）、測定を開始する。
【０１０９】
その後、移動局装置２は、測定対象セルが報告設定の条件を満たす場合に、基地局装置１に対して、ＲＲＣメッセージを用いてＣＳＩ基準信号管理測定報告を送信する（ステップＳ８５）。ＣＳＩ基準信号管理測定報告には、少なくとも測定ＩＤと、ＣＳＩ基準信号設定通知で設定されたインデックスとが含まれる。ただし、一つの測定対象セルに対して一つの報告設定のみが設定される場合であり、かつセル毎にＣＳＩ基準信号管理測定報告をおこなう場合には、測定ＩＤは不要である。
【０１１０】
ＣＳＩ基準信号管理測定報告を受信した基地局装置１は、報告された管理測定結果に基づき、ＣＳＩ測定をおこなうＣＳＩ基準信号設定を決定し、ステップＳ８１と同様にＣＳＩ測定設定と追加ＣＳＩ基準信号設定とを移動局装置２に通知することで再設定をおこなう。
【０１１１】
上述のように、基地局装置１は、ＣＳＩ基準信号管理測定とＣｏＭＰで利用される（ＣＳＩ測定をおこなう）ＣＳＩ基準信号設定と、ＣＳＩ基準信号管理測定でのみ用いられる追加ＣＳＩ基準信号設定と、報告設定とを移動局装置２に通知し、移動局装置２は、前記報告設定で指定された測定対象セルにおいて、前記セルに設定されたすべてのＣＳＩ基準信号設定のＣＳＩ基準信号を測定対象として管理測定をおこない、報告設定の条件に合致するＣＳＩ基準信号設定のインデックス（と必要であれば測定値）を基地局装置１に報告し、基地局装置１は、前記報告に基づき、ＣＳＩ基準信号設定と追加ＣＳＩ基準信号設定とを再設定することにより、第１の実施形態と同様に、複数の測定に関するシグナリングを効率化することが可能となる。
【０１１２】
上述の第１および第２の実施形態において、移動局装置２は、報告設定で指定された測定対象セルにおいて、前記セルに設定されたすべてのＣＳＩ基準信号設定のＣＳＩ基準信号を測定対象として管理測定をおこなっているが、測定対象とするＣＳＩ基準信号を限定したい場合、ＣＳＩ基準信号管理測定設定に、測定対象とするＣＳＩ基準信号を示す情報を付加してもよい。例えば、測定対象とするＣＳＩ基準信号設定のインデックスを通知してもよいし、すべてのＣＳＩ基準信号設定の数のビット列を用意して、各ビットの状態（０か１か）に基づいて測定対象となるＣＳＩ基準信号を指定してもよい。これにより、不要な測定・報告を削減することが可能となり、移動局装置２の省電力化も可能となる。
【０１１３】
また、第１および第２の実施形態において、移動局装置２は、誤り無くＣＳＩ基準信号管理測定設定ができた場合に測定を開始しているが、これに限らず、設定後、測定開始／停止を示すＲＲＣシグナリングに基づいて、測定を開始／停止してもよい。これにより、不要な測定・報告を削減することが可能となり、移動局装置２の省電力化も可能となる。
【０１１４】
また、ＣＳＩ基準信号の受信品質は、ＲＳＲＰやＲＳＲＱだけではなく、パスロスや、それ以外の測定値（ＳＩＲ、ＳＩＮＲ、ＲＳＳＩ、ＢＬＥＲ）などを代わり用いても良いし、これらの測定値の複数を組み合わせて使用することも可能である。また、実施形態で示される各パラメータの名称は、説明の便宜上呼称しているものであって、実際に適用されるパラメータ名称と本願のパラメータ名称とが異なっていても、本願が主張する発明の趣旨に影響するものではない。
【０１１５】
以上、本発明に係る実施形態の説明を行ってきたが、本発明における基地局装置や移動局装置に関しては、基地局装置および移動局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより各実施形態で示した制御を行なってもよい。なお、ここでいう「コンピュータシステム」とは、ＯＳや周辺機器等のハードウェアを含むものとする。
【０１１６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１１７】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【０１１８】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１１９】
１…基地局装置
２…移動局装置
１０１、２０１…受信部
１０２、２０２…復調部
１０３、２０３…復号部
１０４、２０５…制御部
１０５、２０７…符号部
１０６、２０８…変調部
１０７、２０９…送信部
１０８…ネットワーク信号送受信部
１０９、２１０…上位レイヤ
２０４…コンポーネントキャリア管理部
２０６…ランダムアクセス処理部
２１１…測定部
【図１】
2013197782.tif 000003
【図２】
2013197782.tif 000004
【図３】
2013197782.tif 000005
【図４】
2013197782.tif 000006
【図５】
2013197782.tif 000007
【図６】
2013197782.tif 000008
【図７】
2013197782.tif 000009
【図８】
2013197782.tif 000010
【図９】
2013197782.tif 000011
【図１０】
2013197782.tif 000012
【図１１】
2013197782.tif 000013